【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
送信または受信の少なくとも一方のためのＲＦモードで作動するＲＦコイル要素、
１つまたは複数の局所的なＢ０磁場を生成するための少なくとも１つのシムコイル要素内の直流（ＤＣ）電流を伴うＤＣモードで作動する少なくとも１つのシムコイル要素を有する、分離したシムコイルアレイ
を含む、統合されたコイルアレイシステムであって、前記ＲＦコイル要素の少なくとも一部と、前記分離したシムコイルアレイの少なくとも一部とが、互いにオーバーラップし、かつ前記少なくとも１つのシムコイル要素の回路構成により互いから減結合されている、前記統合されたコイルアレイシステムと、
ターゲット対象を保持する、磁気共鳴映像法（ＭＲＩ）スキャナの磁石ボアであって、前記ＲＦコイル要素及び分離したシムアレイが前記ターゲット対象の周りに配置される、前記磁石ボアと、
前記シムコイルアレイの前記少なくとも１つのシムコイル要素にＤＣ電流を供給するための、前記シムコイルアレイと通じているＤＣ電源と、
前記１つまたは複数の局所的なＢ０磁場を生成するために前記シムコイル要素に前記ＤＣ電流を供給するように前記ＤＣ電源を導くように構成された、前記シムコイルアレイと通じているシムコイル回路と、
ＲＦ受信のため前記対象からＭＲ信号を受信するかまたはＲＦ送信のため前記対象へＲＦパルスを送信するように構成された、前記ＲＦコイル要素と通じているＲＦ回路と
を備えた、ＭＲＩシステム。
【請求項２】
前記ＲＦコイル要素が、ＲＦコイルアレイ内の複数のＲＦコイル要素の１つであり、前記ＲＦコイルアレイ内の前記複数のＲＦコイル要素の少なくとも１つが、前記シムコイルアレイの、それぞれの関連する２Ｎ個のシムコイル要素を有しており、前記ＲＦコイルアレイが、受信専用ＲＦコイルアレイ、送信専用コイルアレイ、または送信／受信ＲＦコイルアレイである、請求項１に記載のシステム。
【請求項３】
前記それぞれの２Ｎ個のシムコイル要素の第１のものが、前記それぞれのＲＦコイル要素によって誘導された望ましくないＲＦ電流から生じる１つの極性の磁束を有し、前記それぞれのシムコイル要素の第２のものが、前記の同じＲＦコイル要素によって誘導された逆の極性を有するか、または
前記２Ｎ個のシムコイル要素が、サイズ及び形状において同一であり、前記２Ｎ個のシムコイル要素の少なくとも２つが、ＤＣ遮断コンデンサの対を通して順次接続されているか、または
前記ＤＣ電源が２Ｎ個のチャンネルを含み、前記チャンネルの各々がシムコイル要素に対応し、前記シム回路により、各シムコイル要素内の各ＤＣ電流の個別の調整が可能である、
請求項２に記載のシステム。
【請求項４】
前記シムコイル要素が、複数巻きのループであり、前記シムコイル要素及び前記ＲＦコイル要素の形状が、閉曲線、多角形、円形形状、正方形形状、矩形形状、菱形形状、または三角形形状の１つである、請求項１に記載のシステム。
【請求項５】
前記統合されたコイルアレイシステムが、頭部コイル、頭部頸部脊椎コイル、心臓コイル、身体コイル、胴体コイル、胸部コイル、筋骨格コイル、膝コイル、足／足首コイル、頸動脈コイル、手首コイル、または頸椎／胸椎／腰椎コイルの１つである、請求項１に記載のシステム。
【請求項６】
前記ＭＲＩシステムが組織ではない物質を撮像するか、または前記ＭＲＩスキャナが、人間用スキャナ、動物用スキャナ、物質用ＭＲシステム、またはＮＭＲ分光計の１つである、請求項１に記載のシステム。
【請求項７】
前記統合されたコイルアレイシステムが、前記ＲＦコイルアレイ及び前記分離したシムコイルアレイの個別に操作可能な別個のコイル要素の、密にスタックされた複数の層を含んでいる、請求項２に記載のシステム。
【請求項８】
前記シム回路が、前記生成された１つまたは複数の局所的なＢ０磁場を使用してＢ０シミングを実施するように構成されているか、または
前記シム回路が、前記シムコイルアレイの前記コイル要素内のＤＣ電流を制御し、前記生成された局所的なＢ０磁場を測定するように構成されているか、または
前記シム回路がＭＲスキャナと通じており、前記シムコイルアレイ内の前記シムコイル要素が、前記ＤＣ電源からのＤＣ電流のための少なくとも１つのループを備え、前記少なくとも１つのループがインダクタを含んでいる、
請求項１に記載のシステム。
【請求項９】
前記ＲＦコイル要素が、単一の送受信ＲＦコイル要素であり、前記ＲＦ回路が、前記シムコイルアレイに、前記シムコイルアレイからの前記生成された１つまたは複数の局所的なＢ０磁場を使用してＢ０主磁場の不均一性をシミングさせながら、前記ＲＦコイルアレイに送受信を行わせるような、ＭＲスキャナと通じているか、または
前記ＲＦコイル要素が、ＲＦ信号を送信または受信するように構成されており、前記シムコイルアレイの前記シムコイル要素が、前記１つまたは複数の局所的なＢ０磁場を生成するために独立してかつ同時に作動するように構成されている、
請求項１に記載のシステム。
【請求項１０】
前記シムコイルアレイが、前記ターゲット対象の全体にわたって一様なＢ０磁場を提供するために前記１つまたは複数の局所的なＢ０磁場を生成するように構成されている、請求項１に記載のシステム。
【請求項１１】
前記ＲＦコイル要素と、前記分離したシムコイルアレイとが、少なくとも１つの物理的導体を共有している、請求項１に記載のシステム。
【請求項１２】
前記分離したシムコイルアレイが、少なくとも１対のＤＣワイヤ及びＲＦ遮断要素を含み、前記ＲＦ遮断要素が、（ｉ）直流、（ｉｉ）約１メガヘルツ（ＭＨｚ）以下の周波数を有する交流、または（ｉｉｉ）（ｉ）と（ｉｉ）の両方を通すように構成されている、請求項１に記載のシステム。
【請求項１３】
前記ＤＣワイヤの対の少なくとも１つを接続する少なくとも１つのコンデンサをさらに備え、前記コンデンサが約１００ピコファラド（ｐＦ）未満の静電容量を有する、請求項１２に記載のシステム。
【請求項１４】
前記少なくとも１つのシムコイル要素が、前記ＭＲＩシステムのラーモア周波数に概ね等しいかまたは前記ＭＲＩシステムのラーモア周波数の１０％範囲内である共鳴周波数を有する少なくとも１つの回路構成要素を含み、前記少なくとも１つの回路構成要素がコンデンサと並列接続されたインダクタを含む、請求項１に記載のシステム。
【請求項１５】
前記ＲＦコイル要素と前記分離したシムコイルアレイとの間の距離が最小にされており、（ｉ）前記ＲＦコイル要素の少なくとも一部分と前記分離したシムコイルアレイの少なくとも一部分とが物理的に接触するように、前記ＲＦコイル要素と前記分離したシムコイルアレイとの間の距離がほぼゼロであるか、（ｉｉ）前記ＲＦコイル要素と前記分離したシムコイルアレイとの間の距離が約０ミリメートル〜約１０ミリメートルであるか、（ｉｉｉ）前記ＲＦコイル要素と前記分離したシムコイルアレイが、前記システムの機械的保持構造の同じ層に配置されているか、または（ｉｖ）前記ＲＦコイル要素と前記分離したシムコイルアレイとの間の距離が約０ミリメートル〜約３００ミリメートルである、請求項１に記載のシステム。
【請求項１６】
（ｉ）前記分離したシムコイルアレイと前記ＲＦコイル要素との間の相互インダクタンスが最小にされるように、前記ＲＦコイル要素が前記分離したシムコイルアレイから減結合されているか、（ｉｉ）前記ＲＦコイル要素が、ＲＦ遮蔽なしで前記分離したシムコイルアレイから減結合されているか、または（ｉｉｉ）（ｉ）と（ｉｉ）の両方である、請求項１に記載のシステム。
【請求項１７】
前記少なくとも１つのシムコイル要素のサイズが、ターゲット対象の解剖学的ターゲット構造のサイズにマッチしており、前記解剖学的ターゲット構造が、（ｉ）不均一なＢ０場を有するか、（ｉｉ）前前頭皮質、側頭葉、脊髄、前記ターゲット対象内の金属インプラントの近くの組織、心臓、胸部、腹部、もしくは前記ターゲット対象内の任意の他の細かい解剖学的構造であるか、または（ｉｉｉ）（ｉ）と（ｉｉ）の両方である、請求項１に記載のシステム。
【請求項１８】
前記少なくとも１つのシムコイル要素と前記ターゲット対象の前記解剖学的ターゲット構造との間の距離が最小にされている、請求項１に記載のシステム。
【請求項１９】
前記少なくとも１つのシムコイル要素が、正の端子及び負の端子を有するＤＣ電源接続部を有するＤＣ電流ループを含み、ＤＣ電流が、前記ＤＣ電流ループ内を流れかつ循環して、前記局所的なＢ０磁場を生成する、請求項１に記載のシステム。
【請求項２０】
前記少なくとも１つのシムコイル要素が、前記正の端子と前記ＤＣ電流ループとの間に直列に接続された第１のＲＦチョーク、及び前記負の端子と前記ＤＣ電流ループとの間に直列に接続された第２のＲＦチョークを含んでいる、請求項１９に記載のシステム。
【請求項２１】
（ｉ）前記ＲＦコイル要素の前記少なくとも一部と前記分離したシムコイルアレイの前記少なくとも一部とのオーバーラップ距離の、（ｉｉ）前記分離したシムコイルアレイの前記少なくとも一部の直径に対する比が、約０％〜約７５％である、請求項１に記載のシステム。
【請求項２２】
磁気共鳴（ＭＲ）システムを作動させる方法であって、
シムコイル要素を有する少なくとも１つのシムコイルアレイを提供することであって、前記コイル要素が、少なくとも１つのループを含む直流（ＤＣ）電流経路と関連づけられた回路を有する、前記提供することと、
ＲＦ送信モードまたはＲＦ受信モードの少なくとも一方でＲＦコイル要素を作動させることであって、前記ＲＦコイル要素の少なくとも一部と、分離したシムコイルアレイとが、互いにオーバーラップし、かつ前記シムコイル要素の回路構成により互いから減結合されている、前記作動させることと、
前記ＲＦコイル要素の前記送信モードまたは前記受信モードと並行して、前記シムコイルアレイの前記シムコイル要素の前記ＤＣ電流経路を通してＤＣ電流を流すことと、
前記シムコイル要素の前記ＤＣ電流経路を通る前記ＤＣ電流の前記流れに応じて、１つまたは複数の局所的なＢ０磁場を生成することと
を含む、前記方法。
【請求項２３】
前記複数のコイル要素からの全体の磁束が最小にされているか、または
前記複数のシムコイル要素と前記それぞれのＲＦコイル要素との間の相互インダクタンスが最小にされているか、または
前記ＲＦコイル要素と前記シムコイルアレイとが、少なくとも１つの物理的導体を共有している、
請求項２２に記載の方法。
【手続補正２】
【補正対象書類名】明細書
【補正対象項目名】００１８
【補正方法】変更
【補正の内容】
【００１８】
[本発明1001]
送信または受信の少なくとも一方のためのＲＦモードで作動するＲＦコイル要素、
Ｂ0シミングのための局所的なＢ0磁場を生成するシムコイル要素内の直流（ＤＣ）電流を伴うＤＣモードで作動する少なくとも1つのシムコイル要素を有する、分離したシムコイルアレイ
を含む、統合されたコイルアレイシステムであって、前記ＲＦコイル要素の少なくとも一部と、分離したシムコイルアレイとが、互いにオーバーラップし、かつ幾何学的に互いから減結合されている、前記統合されたコイルアレイシステムと、
ターゲット対象を保持する、磁気共鳴映像法（ＭＲＩ）スキャナの磁石ボアであって、前記ＲＦコイル要素及び分離したシムアレイが前記ターゲット対象の周りに配置される、前記磁石ボアと、
前記シムコイルアレイの前記少なくとも1つのシムコイル要素にＤＣ電流を供給するための、前記シムコイルアレイと通じているＤＣ電源と、
Ｂ0シミングのための前記局所的なＢ0磁場を生成するために前記シムコイル要素に前記ＤＣ電流を供給するように前記ＤＣ電源を導くように構成された、前記シムコイルアレイと通じているシムコイル回路と、
ＲＦ受信のため前記対象からＭＲ信号を受信するかまたはＲＦ送信のため前記対象へＲＦパルスを送信するように構成された、前記ＲＦコイル要素と通じているＲＦ回路と
を備えた、ＭＲＩシステム。
[本発明1002]
前記ＲＦコイル要素が、コイルアレイ内の複数のＲＦコイル要素の1つであり、前記複数のＲＦコイル要素中の少なくとも1つの前記ＲＦコイル要素が、前記シムコイルアレイの、それぞれの関連する2Ｎ個のシムコイル要素を有している、本発明1001のシステム。
[本発明1003]
前記それぞれの2Ｎ個のシムループの1つが、前記それぞれのＲＦコイル要素によって誘導された望ましくないＲＦ電流から生じる1つの極性の磁束を有し、前記それぞれのシムコイル要素の第2のものが、前記の同じＲＦコイル要素によって誘導された逆の極性を有する、本発明1002のシステム。
[本発明1004]
前記2Ｎ個のシムコイル要素が、サイズ及び形状において同一であり、前記2Ｎ個のシムコイル要素の少なくとも2つが、ＤＣ遮断コンデンサの対を通して順次接続されている、本発明1002のシステム。
[本発明1005]
前記ＤＣ電源が2Ｎ個のチャンネルを含み、前記チャンネルの各々がシムコイル要素に対応し、前記シム回路により、各シムコイル要素内の各ＤＣ電流の個別の調整が可能である、本発明1002のシステム。
[本発明1006]
前記シムコイル要素が、複数巻きのループである、本発明1001のシステム。
[本発明1007]
前記それぞれのＲＦコイルアレイが、受信専用ＲＦコイルアレイ、送信専用ＲＦコイルアレイ、または送信／受信ＲＦコイルアレイの1つである、本発明1002のシステム。
[本発明1008]
前記シムコイル要素及び前記ＲＦコイル要素の形状が、閉曲線、多角形、円形形状、正方形形状、矩形形状、菱形形状、または三角形形状の1つであってもよい、本発明1001のシステム。
[本発明1009]
前記統合されたコイルアレイシステムが、頭部コイル、頭部頸部脊椎コイル、心臓コイル、身体コイル、胴体コイル、胸部コイル、筋骨格コイル、膝コイル、足／足首コイル、頸動脈コイル、手首コイル、頸椎／胸椎／腰椎コイルの1つである、本発明1001のシステム。
[本発明1010]
組織ではない物質を撮像する、本発明1001のシステム。
[本発明1011]
前記ＭＲＩスキャナが、人間用スキャナ、動物用スキャナ、物質用ＭＲシステム、またはＮＭＲ分光計の1つである、本発明1001のシステム。
[本発明1012]
前記統合されたコイルアレイシステムが、前記ＲＦコイルアレイ及び前記分離したシムコイルアレイの個別に操作可能な別個のコイル要素の、密にスタックされた複数の層を含んでいる、本発明1002のシステム。
[本発明1013]
前記シム回路が、前記生成された局所的なＢ0磁場に関連するＢ0マップを生成し、Ｂ0シミングを実施するように構成されている、本発明1001のシステム。
[本発明1014]
前記シム回路が、前記シムコイルアレイの前記コイル要素内のＤＣ電流を制御し、前記生成された局所的なＢ0磁場を測定するように構成されている、本発明1001のシステム。
[本発明1015]
前記シム回路がＭＲスキャナと通じており、前記シムコイルアレイ内の前記シムコイル要素が、前記ＤＣ電源からのＤＣ電流のための少なくとも1つのループを備え、前記少なくとも1つのループがインダクタを含んでいる、本発明1001のシステム。
[本発明1016]
前記ＲＦコイル要素が、単一の送受信ＲＦコイル要素であり、前記ＲＦ回路が、前記シムコイルアレイに、前記シムコイルアレイからの前記生成された局所的なＢ0磁場を使用して主磁場Ｂ0の不均一性をシミングさせながら、前記ＲＦコイルアレイに送受信を行わせるような、ＭＲスキャナと通じている、本発明1001のシステム。
[本発明1017]
前記ＲＦコイル要素が、ＲＦ信号を送信または受信するように構成されており、前記シムコイルアレイの前記シムコイル要素が、Ｂ0磁場シミングのための前記局所的なＢ0磁場を生成するために独立してかつ同時に作動するように構成されている、本発明1001のシステム。
[本発明1018]
前記シムコイルアレイが、前記ターゲット対象の全体にわたって一様な磁場を提供するために前記局所的なＢ0磁場を生成するように構成されている、本発明1001のシステム。
[本発明1019]
送信または受信の少なくとも一方のためのＲＦモードで作動するＲＦコイル要素、
Ｂ0シミングのための局所的なＢ0磁場を生成するためのそれぞれのコイル要素内の直流（ＤＣ）電流を伴うＤＣモードで作動する少なくとも1つのシムコイル要素を有する、分離したシムコイルアレイ
を含む、統合されたコイルアレイシステムであって、前記ＲＦコイル要素と、分離したシムコイルアレイとが、少なくとも1つの物理的導体を共有し、互いにオーバーラップし、かつ幾何学的に互いから減結合されている、前記統合されたコイルアレイシステムと、
ターゲット対象を保持する磁石ボアであって、前記ＲＦコイル要素及び分離したシムアレイが、前記ターゲット対象の周りに配置される、前記磁石ボアと、
前記シムコイルアレイの前記少なくとも1つのシムコイル要素にＤＣ電流を供給するための、前記シムコイルアレイと通じているＤＣ電源と、
Ｂ0シミングのための前記局所的なＢ0磁場を生成するために前記シムコイル要素に前記ＤＣ電流を供給するように前記ＤＣ電源を導くように構成された、前記シムコイルアレイと通じているシムコイル回路と、
ＲＦ受信のため前記対象からＭＲ信号を受信するかまたはＲＦ送信のため前記対象へＲＦパルスを送信するように構成された、前記ＲＦコイル要素と通じているＲＦ回路と
を備えた、磁気共鳴映像法（ＭＲＩ）システム。
[本発明1020]
前記ＲＦコイル要素が、コイルアレイ内の複数のＲＦコイル要素の1つであり、前記複数のＲＦコイル要素中の少なくとも1つの前記ＲＦコイル要素が、前記シムコイルアレイの、それぞれの関連する2Ｎ個のシムコイル要素を有している、本発明1019のシステム。
[本発明1021]
前記それぞれの2Ｎ個のシムループの1つが、前記それぞれのＲＦコイル要素によって誘導された望ましくないＲＦ電流から生じる1つの極性の磁束を有し、前記それぞれのシムループの第2のものが、前記の同じＲＦコイル要素によって誘導された逆の極性を有する、本発明1020のシステム。
[本発明1022]
前記2Ｎ個のシムループが、サイズ及び形状において同一であり、前記2Ｎ個のシムループの少なくとも2つが、ＤＣ遮断コンデンサの対を通して順次接続されている、本発明1020のシステム。
[本発明1023]
前記ＤＣ電源が2Ｎ個のチャンネルを含み、前記チャンネルの各々がシムコイル要素に対応し、前記シム回路により、各シムコイル要素内の各ＤＣ電流の個別の調整が可能である、本発明1020のシステム。
[本発明1024]
シムコイル要素が、複数巻きのループである、本発明1019のシステム。
[本発明1025]
前記ＲＦコイルアレイが、受信専用ＲＦコイルアレイ、送信専用ＲＦコイルアレイ、または送信／受信ＲＦコイルアレイの1つである、本発明1020のシステム。
[本発明1026]
シムコイル要素及び前記ＲＦコイル要素の形状が、閉曲線、多角形、円形形状、正方形形状、矩形形状、菱形形状、または三角形形状の1つであってもよい、本発明1019のシステム。
[本発明1027]
前記統合されたコイルアレイシステムが、頭部コイル、頭部頸部脊椎コイル、心臓コイル、身体コイル、胴体コイル、胸部コイル、筋骨格コイル、膝コイル、足／足首コイル、頸動脈コイル、手首コイル、頸椎／胸椎／腰椎コイルの1つである、本発明1019のシステム。
[本発明1028]
組織ではない物質を撮像する、本発明1019のシステム。
[本発明1029]
前記ＭＲＩスキャナが、人間用スキャナ、動物用スキャナ、物質用ＭＲシステム、またはＮＭＲ分光計の1つである、本発明1019のシステム。
[本発明1030]
前記統合されたコイルアレイシステムが、前記ＲＦコイルアレイ及び前記分離したシムコイルアレイの個別に操作可能な別個のコイル要素の、密にスタックされた複数の層を含んでいる、本発明1020のシステム。
[本発明1031]
前記シム回路が、前記生成された局所的なＢ0磁場に関連するＢ0マップを生成し、Ｂ0シミングを実施するように構成されている、本発明1019のシステム。
[本発明1032]
前記シム回路が、前記シムコイルアレイの前記コイル要素内のＤＣ電流を制御し、前記生成された局所的なＢ0磁場を測定するように構成されている、本発明1019のシステム。
[本発明1033]
前記シム回路がＭＲスキャナと通じており、前記シムコイルアレイ内の前記コイル要素の各々が、前記ＤＣ電源からのＤＣ電流のための少なくとも1つのループを備え、前記少なくとも1つのループがインダクタを含んでいる、本発明1019のシステム。
[本発明1034]
前記ＲＦコイル要素が、単一の送受信ＲＦコイルアレイであり、前記ＲＦ回路が、前記シムコイルアレイに、前記シムコイルアレイからの前記生成された局所的なＢ0磁場を使用して主磁場Ｂ0の不均一性をシミングさせながら、前記ＲＦコイル要素に送受信を行わせるような、ＭＲスキャナと通じている、本発明1019のシステム。
[本発明1035]
前記ＲＦコイル要素が、ＲＦ信号を送信または受信するように構成されており、前記シムコイルアレイの前記シムコイル要素が、Ｂ0磁場シミングのための前記局所的なＢ0磁場を生成するために独立してかつ同時に作動するように構成されている、本発明1019のシステム。
[本発明1036]
前記シムコイルアレイが、前記ターゲット対象の全体にわたって一様な磁場を提供するために前記局所的なＢ0磁場を生成するように構成されている、本発明1019のシステム。
[本発明1037]
磁気共鳴（ＭＲ）システムをシミングする方法であって、
シムコイル要素を有する少なくとも1つのシムコイルアレイを提供することであって、前記コイル要素が、少なくとも1つのループを含む直流（ＤＣ）電流経路と関連づけられた回路を有する、前記提供することと、
ＲＦ送信モードまたはＲＦ受信モードの少なくとも一方でＲＦコイル要素を作動させることであって、前記ＲＦコイル要素の少なくとも一部と、分離したシムコイルアレイとが、互いにオーバーラップし、かつ幾何学的に互いから減結合されている、前記作動させることと、
前記ＲＦコイル要素の前記送信モードまたは前記受信モードと並行して、前記シムコイルアレイの前記シムコイル要素の前記ＤＣ電流経路を通してＤＣ電流を流すことと、
前記シムコイル要素の前記ＤＣ電流経路を通る前記ＤＣ電流の前記流れに応じて、局所的なＢ0磁場を生成し、それにより、前記生成された局所的なＢ0磁場を使用して前記ＭＲシステムの磁石の撮像空間をＢ0シミングすることと
を含む、前記方法。
[本発明1038]
前記複数のコイル要素からの全体の磁束が最小にされている、本発明1037の方法。
[本発明1039]
前記複数のコイル要素と前記それぞれのＲＦコイル要素との相互インダクタンスが最小にされている、本発明1037の方法。
[本発明1040]
磁気共鳴（ＭＲ）システムをシミングする方法であって、
シムコイル要素を有する少なくとも1つのシムコイルアレイを提供することであって、前記シムコイル要素が、少なくとも1つのループを含む直流（ＤＣ）電流経路と関連づけられた回路を有する、前記提供することと、
ＲＦ送信モードまたはＲＦ受信モードの少なくとも一方でＲＦコイル要素を作動させることであって、前記ＲＦコイルアレイとシムコイルアレイとが、少なくとも1つの物理的導体を共有する、前記作動させることと、
前記ＲＦコイル要素の前記送信モードまたは前記受信モードと並行して、前記シムコイル要素の前記ＤＣ電流経路を通してＤＣ電流を流すことと、
前記シムコイル要素の前記ＤＣ電流経路を通る前記ＤＣ電流の前記流れに応じて、局所的なＢ0磁場を生成し、それにより、前記生成された局所的なＢ0磁場を使用して前記ＭＲシステムの磁石の撮像空間をＢ0シミングすることと
を含む、前記方法。
[本発明1041]
ＲＦコイルと、
各々が前記ＲＦコイルから物理的に分離されている複数のコイル要素を有する少なくとも1つのシムコイルアレイであって、各コイル要素が、正の端子及び負の端子を有するＤＣ電源接続部を有するＤＣ電流ループを含み、ＤＣ電流が、前記ＤＣ電流ループ内を流れかつ循環して、局所的なＢ0磁場を生成する、前記少なくとも1つのシムコイルアレイと
を備えた、磁気共鳴映像法（ＭＲＩ）システムのための統合されたコイルアレイアセンブリであって、
送信または受信の少なくとも一方のためのＲＦモードと、Ｂ0シミングのための局所的なＢ0磁場を生成するための直流モードとを同時に提供するように構成されている、前記統合されたコイルアレイアセンブリ。
[本発明1042]
前記コイル要素の各々が、ＲＦチョークを含んでいる、本発明1041のコイルアセンブリ。
[本発明1043]
第1のＲＦチョークが、前記正の端子と前記ＤＣ電流ループとの間に直列に接続されており、第2のＲＦチョークが、前記負の端子と前記ＤＣ電流ループとの間に直列に接続されている、本発明1041のコイルアセンブリ。
[本発明1044]
ＲＦコイルと、
複数のコイル要素を有する少なくとも1つのシムコイルアレイであって、前記コイル要素の少なくとも1つが、前記ＲＦコイルと共有されたセグメント及び前記ＲＦコイルと共有されていないセグメントを有し、各コイル要素が、正の端子及び負の端子を有するＤＣ電源接続部を有するＤＣ電流ループを含み、ＤＣ電流が、前記ＤＣ電流ループ内を流れかつ循環して、局所的なＢ0磁場を生成する、前記少なくとも1つのシムコイルアレイと
を備えた、磁気共鳴映像法（ＭＲＩ）システムのための統合されたコイルアレイアセンブリであって、
送信または受信の少なくとも一方のためのＲＦモードと、Ｂ0シミングのための局所的なＢ0磁場を生成するための直流モードとを同時に提供するように構成されている、前記統合されたコイルアレイアセンブリ。
本発明の追加の態様は、図面を参照して行われる、様々な実施形態の詳細な説明を踏まえれば当業者には明らかとなるであろう。図面の簡単な説明は、以下に与えられる。